(57)【要約】【課題】  複写に制限をかけ、特に市販されている図書や図書館の図書などの著作物に対し不正複写を防止するシステムに係る画像形成装置を提供することを目的とする。【解決手段】  図書に付加されたマーキング情報が読み取れない場合に、複写に制限をかけ、特に市販されている図書や図書館の図書などの著作物に対し不正複写を防止する。【選択図】        図１
2006235008.tif 000002
【特許請求の範囲】
【請求項１】
図書に印刷又は装着した機械読み取り可能なマーキングを備え、前記マーキングを読み取る読取手段と、図書各々の複写の可否を判断するための複写情報を記録したデータベースと、前記読み取り手段により前記マーキングが読み取れた場合に複写制限を行うか否かの指示をするデータ処理手段と、前記マーキングが読み取れなかった場合に、図書であるか否かを検出する検出手段と、前記検出手段により図書であると検出した場合に、複写を制限し、警告を表示するなどの複写制限を行うことを特徴とする画像形成装置。
【請求項２】
前記複写情報が、当該図書の複写の可否を示す情報であり、前記データ処理装置が、前記複写の可否を示す情報が否である場合に、複写の制限を行うことを特徴とする請求項１に記載の画像形成装置。
【請求項３】
前記複写情報が、発行日および複写が可能になる発行日からの経過期間であり、前記データ処理装置が、複写を行う当日が複写が可能になる発行日からの経過期間に到達していない場合に、複写の制限を行うことを特徴とする請求項１に記載の画像形成装置。
【請求項４】
前記複写情報が、当該図書の複写許可頁数であり、前記データ処理装置が、複写した頁数が前記複写許可頁数を超える場合に、複写の制限を行うことを特徴とする請求項１に記載の画像形成装置。
【請求項５】
前記複写情報が、当該図書の複写許可頁数および当該図書の複写履歴であり、前記データ処理装置が、予め設定した一定期間内の累計複写頁数が前記一定期間内の複写許可頁数を超える場合に、複写の制限を行うことを特徴とする請求項１に記載の画像形成装置。
【請求項６】
前記複写制限が、複写を禁止すること、複写枚数を制限すること、Ｎ  ｉｎ  Ｏｎｅ印刷すること、白黒印刷すること、解像度を下げて印刷することを特徴とする請求項１から５のいずれかに記載の画像形成装置。
【請求項７】
前記検出手段が、複写機の原稿台から圧板までの距離を測定することで図書であるか否かを検出することを特徴とする請求項１に記載の画像形成装置。
【請求項８】
前記検出手段が、原稿台に置かれた印刷物の重量を測定することで図書であるか否かを検出することを特徴とする請求項１に記載の画像形成装置。
【請求項９】
前記マーキングが、データ書き換え可能なＲＦＩＤタグであることを特徴とする請求項１に記載の画像形成装置。
【請求項１０】
前記マーキングが、バーコードであることを特徴とする請求項１に記載の画像形成装置。
【発明の詳細な説明】
【技術分野】
【０００１】
本発明は、図書に対する不正な複写を防止する画像形成装置に関するものである。
【背景技術】
【０００２】
図書において、著作権で認められた範囲で複製が行われているかどうか確認する方法がないという問題があった。そのため、特許文献１には、図書に機械読み取り可能なマーキングをし、複写の際、そのマーキング情報により複写の制限をする図書不正複写防止システムというものが開示されている。
【特許文献１】特開２００３−３０２８８０号公報
【発明の開示】
【発明が解決しようとする課題】
【０００３】
しかしながら、マーキングが施されていない図書や、不正にマーキング情報を読み取れないようにした場合などは、不正複写を防止できないといった問題がある。
【０００４】
そこで本発明は、図書に付加されたマーキング情報が読み取れない場合に、複写に制限をかけ、特に市販されている図書や図書館の図書などの著作物に対し不正複写を防止するシステムに係る画像形成装置を提供することを目的とする。
【課題を解決するための手段】
【０００５】
上記目的を達成するために、図書に印刷又は装着した機械読み取り可能なマーキングを備え、前記マーキングを読み取る読取手段と、前記読み取り手段により前記マーキングが読み取れた場合に複写制限を行うか否かの指示をする処理手段と、前記マーキングが読み取れなかった場合に、図書であるか否かを検出する検出手段と、前記検出手段により図書であると検出した場合に、複写を中止し、警告を表示するなどの複写制限を行う手段を設けた画像形成装置を提供するものである。
【発明の効果】
【０００６】
本発明における図書不正複写防止に係る画像形成装置によれば、図書に付加されたマーキング情報が読み取れない場合に、複写に制限をかけ、特に市販されている図書や図書館の図書などの著作物に対し不正複写を防止することが可能になる。
【発明を実施するための最良の形態】
【０００７】
以下本発明を実施するための最良の形態を、実施例により詳しく説明する。
【実施例１】
【０００８】
以下、本発明の画像処理システムの第一の実施の形態について、添付の図面を参照しつつ詳しく説明する。
【０００９】
図１はシステムの概略図である。１０１は複写機に読み込み、複写するための図書もしくは原稿である。１０２はマーキングであり、実際には無線で通信可能な非接触のＩＣであるＲＦＩＤ（Ｒａｄｉｏ  Ｆｒｅｑｕｅｎｃｙ  Ｉｄｅｎｔｉｆｉｃａｔｉｏｎ）タグやバーコードなどである。マーキング１０２は内部にメモリ部をもち、メモリには図書を識別するＩＤ、もしくは図書の複写の可否を判断するための複写情報、もしくはその両方を記録している。特にＲＦＩＤタグは、内部データを書き換え可能であるから、複写した履歴を書き込むなど、さまざまな運用の形態が実現できるので好適である。
【００１０】
１０３はデータベースであり、図書又は原稿ごとに複写の可否を判断するために、複写情報を記録している。１０４はデータ処理装置であり、マーキング１０２が記録する識別ＩＤおよびデータベース１０３に記録した複写情報を比較することにより不正な複写であると判断する場合、もしくはマーキング１０２の情報を読み取ることができず不正な複写であると判断する場合には、複写機２００に対して複写を制限する指示を出すものである。２００は複写機であり、原稿を読み取り画像データを紙などの記録媒体へ記憶することが可能である。
【００１１】
図２は、複合機２００の内部を詳しく表したブロック図である。
【００１２】
図２における２００は、原稿画像を読み取るイメージリーダ部２０１と、イメージリーダ部２０１で読み取った画像データを再現するプリンタ部２０２とに大きく分けられる。イメージリーダ部２０１は、４００ｄｐｉ（ｄｏｔｓ／ｉｎｃｈ）の解像度で原稿を読み取り、デジタル信号処理を行う部分である。プリンタ部２０２は、イメージリーダ部２０１によって読み取られた原稿画像に対応した画像を１２００ｄｐｉの解像度で指定用紙にフルカラープリント出力する部分である。
【００１３】
イメージリーダ部２０１において、原稿台ガラス（以下、プラテン）２０３上の原稿２０４は、ランプ２０５で照射され、ミラー２０６，２０７，２０８に導かれ、レンズ２０９によつて、集光された光を電気信号に変換する３ラインセンサ（以下、ＣＣＤ）２１０上に像を結び、フルカラー情報レツド（Ｒ），グリーン（Ｇ），ブルー（Ｂ）成分として信号処理部２１１に送られる。なお、２０５，２０６を固定しているキヤリツジは速度ｖで、２０７，２０８は速度１／２ｖでラインセンサの電気的走査（主走査）方向に対して垂直方向に機械的に動くことによって、原稿全面を走査（副走査）する。読み取られた画像は、不図示のメモリ内部に格納されていく。
【００１４】
次にメモリ内部から再び画像データが読みだされ、信号処理部２１１においては、読み取られた画像信号を電気的に処理し、マゼンタ（Ｍ），シアン（Ｃ），イエロー（Ｙ），ブラツク（Ｂｋ）の各成分に分解し、プリンタ部２０２に送る。また、イメージリーダ部２０１における一回の原稿走査につき、Ｍ、Ｃ、Ｙ、Ｂｋのうちひとつの成分がプリンタ部２０２に送られ、計４回の原稿走査によって、一回のプリントアウトが完成する。
【００１５】
イメージリーダ部２０１より送られてくるＭ、Ｃ、Ｙ、Ｂｋの各画像信号は、レーザドライバ２１２に送られる。レーザドライバ２１２は、送られてきた画像信号に応じ、半導体レーザ２１３を変調駆動する。レーザ光は、ポリゴンミラー２１４，ｆ−θレンズ２１５，ミラー２１６を介し、感光ドラム２１７上を走査する。
【００１６】
２１８は回転現像器であり、マゼンタ現像部２１９、シアン現像部２２０、イエロー現像部２２１、ブラツク現像部２２２より構成され、４つの現像部が交互に感光ドラム２１７に接し、感光ドラム上に形成された潜像現像をトナーで現像する。２２３は転写ドラムであり、用紙カセツト２２４または２２５より供給される用紙をこの転写ドラム２２３に巻き付け、感光ドラム上に現像された像を用紙に転写する。この様にして、Ｍ、Ｃ、Ｙ、Ｂｋの４色が順次転写された後に、用紙は定着ユニツト２２６を通過して、トナーが用紙に定着された後に排紙される。
【００１７】
図３は前記ＭＦＰにおける、紙などの記録媒体に印字を行うプリンタ部の電気信号を処理する部分の構成を詳細に示したものである。
【００１８】
３１０はＣＰＵで、プリンタの各部の制御を行うためのものである。３０２はＲＡＭであり前記ＣＰＵが演算した結果や、プリンタが扱う画像データなどを一時的に記憶しておくためのものである。３０３はＲＯＭであり、前記ＣＰＵが動作するためのプログラムや、画像データを生成するためのフォントデータなどが格納されている。３０４は、前記ＣＰＵ、ＲＡＭ、ＲＯＭが接続されているローカルバスである。３０５はＩ／Ｏバスであり、機能拡張用の内部Ｂｕｓである。
【００１９】
３０６は前記ローカルバスとＩ／Ｏバスを接続するためのブリッジ回路である。３０７はプリンタ部で、紙などの記録媒体に画像を形成するための部分である。電子写真方式やバブルジェット方式など様々な形式のプリンタ部が存在する。３０８はプリンタインターフェース部であり、前記プリンタ部とＩ／Ｏバスを接続するためのものであり、ＣＰＵの指示に従って３０２のＲＡＭに格納されている画像データを３０７のプリンタ部へ転送することが可能である。３０９はハードディスクドライブであり、画像データのスプールを行ったり、３０１のＣＰＵが様々の処理を行うためのプログラムなどを格納させておくためのものである。
【００２０】
３１１はネットワークインターフェースコントローラであり、図１の１４に示したローカルエリアネットワークへ接続するために使用される。３１２は、イメージプロセッシングユニット（以下ＩＰＵ）であり、解像度変換などの画像処理を行うためのものである。３１３はラスタイメージプロセッサであり、３０１のＣＰＵの指示により、３１１のネットワークインターフェース回路を経由して外部から転送されたページ記述言語の画像データをビットマップ画像へ展開し、３０２のＲＡＭへ展開したビットマップデータを格納するために使用される。３１４はビデオＲＡＭで、ＣＰＵにより外部のＣＲＴやＬＣＤパネルに表示した表示データが書き込まれるものである。３１５はビデオインターフェースであり、ＶＲＡＭに格納されている表示データを外部のＣＲＴやＬＣＤパネルに表示するためのインターフェースをするためのものである。
【００２１】
３１６は拡張Ｉ／Ｏインターフェースであり、たとえば携帯機器などと３０１のＣＰＵが通信などを行うためのインターフェース回路である。通信形態はシリアル通信や、バイセントロインターフェース、またはＢｌｕｅｔｏｏｔｈなどの無線通信などの形式がある。５００はＲＦＩＤリーダライタ部であり、後述するＲＦＩＤに対して無線通信によりデータを読み書きするためのものである。
【００２２】
図４は前記ＭＦＰにおける、スキャナ部の電気信号を処理する部分の構成を詳細に示したものである。
【００２３】
４０１はＣＰＵで、スキャナの各部の制御を行うためのものである。４０２はＲＡＭであり前記ＣＰＵが演算した結果や、スキャナが読み込んだ画像データなどを一時的に記憶しておくためのものである。４０３はＲＯＭであり、前記ＣＰＵが動作するためのプログラムなどが格納されている。４０４は、前記ＣＰＵ、ＲＡＭ、ＲＯＭが接続されているローカルバスである。４０５はＩ／Ｏバスであり、機能拡張用の内部Ｂｕｓである。４０６は前記ローカルバスとＩ／Ｏバスを接続するためのブリッジ回路である。
【００２４】
４０７はスキャナ部で、不図示の原稿台に置かれた原稿から読み取った光学的な信号を、ＣＣＤなどを用いて電子データに変換し、その電子データを転送するための部分である。４０８はスキャナインターフェース部であり、前記スキャナ部とＩ／Ｏバスを接続するためのものであり、ＣＰＵの指示に従って、前記スキャナから転送される原稿を読み取った電子データを、４０２のＲＡＭに転送することが可能である。４１０はネットワークインターフェースコントローラであり、図１の１４に示したローカルエリアネットワークへ接続するために使用される。
【００２５】
４０９は、イメージプロセッシングユニット（以下ＩＰＵ）であり、解像度変換などの画像処理を行うためのものである。４１１は拡張Ｉ／Ｏインターフェースであり、たとえば携帯機器などと４０１のＣＰＵが通信などを行うためのインターフェース回路である。通信形態はシリアル通信や、バイセントロインターフェース、またはＢｌｕｅｔｏｏｔｈなどの無線通信などの形式がある。５００はＲＦＩＤリーダライタ部であり、後述するＲＦＩＤに対して無線通信によりデータを読み書きするためのものである。
【００２６】
原稿読み取り部に取り付けられた非接触ＩＣの読み取り、または書き込みを行うためのリーダライタ部５００の詳細な説明を行う（以下、図５参照）。リーダライタ部５００は、６００の非接触ＩＣ部に対して電波を送信するための送信アンテナ部５０１と、送信アンテナから送信する電波の変調を行うための変調回路５０２と、６００の非接触ＩＣ部から送られてくる電波を受信するための受信アンテナ部５０３、５０３の受信アンテナ部より受信した信号を復調するための復調回路５０４、また５０１の送信アンテナ部と、５０２の変調回路、５０３の受信アンテナ部、５０４の復調回路を制御するための制御部５０５と、上位機器との通信を行うＩ／Ｆ部５０６と、送信アンテナ部５０１に接続され、６００の非接触ＩＣへの電力供給を行う電源５０７から構成される。
【００２７】
前記制御部５０５は、外部からの指示により５０２の変調回路を用いて電力を供給するための電波および、送信するデータを変調して、５０１の送信アンテナ部より外部へ電波を送信する。また、外部より受信した電波信号を、５０３の受信アンテナ部で受信して、５０４の復調回路によって復調したのち、データ信号として扱えるように変換することが可能である。
【００２８】
図６において、非接触ＩＣ部６００の詳細な説明を行う。非接触ＩＣ部６００は、６０１の不揮発性メモリ、６０２の電波を送受信するためのアンテナ部と、６０３の共振コンデンサ部、６０４の電源の整流・平滑を行うための電力形成部と、６０５の電波の変調、復調を行うための復変調部、６０６の制御部とから構成される。
【００２９】
６０２のアンテナ部は、６０３の共振コンデンサと組み合わされ、共振回路を構成できるようになっている。外部から電力を供給するための電波信号が送られることにより、これを共振回路で受けっとって、前記６０４に示される電力形成部へ供給し、６０４の電力生成部は６００の非接触ＩＣを動作させるための電力を供給することが可能となる。前記電力は、６０１の不揮発性メモリや、６０５の復変調回路へ供給される。６０６の制御部は、６００の非接触ＩＣ部の制御を行うためのものである。
【００３０】
外部から、電力を供給するための電波とあわせて、非接触ＩＣ部から読み出す、または書き着込むためのデータも同時に送受信され、６００の非接触ＩＣ部へ送られてきた信号は、６０５の復変調回路によって、復調され６０６の制御部を介して、６０１の不揮発性メモリへ記憶される。また、６０６の制御部によって、６０１の不揮発性メモリから読み出されたデータは、６０５の復変調回路によって変調され、６０２のアンテナ部から電波信号として送信可能である。
【００３１】
次に本発明の図書不正複写防止システムの動作を、図７のフローチャートを用いて詳細に説明を行う。まず、ユーザーは複製を得ようとする図書を複写機２００にセットする。次にユーザーが不図示の複写機のコピー動作開始ボタンを押下し、図書の読み取り動作を指示するまで、ＣＰＵ４０１は待機している。
【００３２】
次にユーザーがコピー動作開始ボタンを押下し、図書の読み取り動作を指示すると図書の読み取りを開始する。次にＣＰＵ４０１は、４１１の拡張Ｉ／ＯＩ／Ｆに接続されているマーキングの読み取りのためのリーダライタ５００に対して、図書に付加されていると思われるマーキングに対して内部のメモリへアクセスするためにリード要求を行う。
【００３３】
しかし、リード要求を行ったにも関わらず、図書にマーキングが取り付けられていない場合や、不正にマーキング情報を読み取れないようにしていた場合、図書から応答が返されないため、ＣＰＵ４０１はある所定の時間を経過しても図書から応答が返ってこないことにより、図書にマーキングが付加されていないと判定を行う。図書にマーキングが付加されていないと判定された場合は、次にＣＰＵ４０１は複写機の圧板の状態を検出し、ある一定以上原稿台２０３から圧板までの距離があった場合は、複写物が図書であると判断し、不正複写を防止するため、複写を中止し、不図示の複写機の液晶表示部に警告を表示したり、警告音を発するなどして、不正な複写であることを知らせる。
【００３４】
また、今回原稿台２０３から圧板までの距離によって、複写されるものが図書であるか原稿であるか判断したが、他に重さにより検出する方法など種々の手段が可能なことは当然である。
【００３５】
次に、原稿に付加されている非接触ＩＣより応答が返された場合は、ＣＰＵ４０１は、マーキングに記録してある図書を識別するＩＤ、あるいは複写情報を読み取る。データ処理装置１０４はイメージリーダ部２０１が読み取った情報に基づいて、例えば、図書自体の複写の可否や、複写頁数による判断などにより複写の正当性を判断する。
【００３６】
データ処理装置１０４は、図書複写の可否及び頁数を判断し、当該複写の状況を履歴としてデータベース１０３に記録する。と同時に、複写を停止すべきという判断の場合は、複写を停止する。
【００３７】
また、複写を許可する場合も、Ｎ  ｉｎ  Ｏｎｅ、カラーの白黒化、解像度を下げるなどの制限を加えることで著作権侵害を防止することができる。
【００３８】
以上、本発明を実施の形態に基づいて詳細に説明してきたが、本発明による図書不正複写防止システムは、上述の実施の形態に何ら限定されるものではなく、本発明の趣旨を逸脱しない範囲において種々の変更が可能なことは当然である。
【図面の簡単な説明】
【００３９】
【図１】本発明の画像処理システムの構成を概略的に示したブロック図
【図２】複合機の内部を詳しく表したブロック図
【図３】プリンタコントローラ内部を詳しく表したブロック図
【図４】スキャナコントローラ内部を詳しく表したブロック図
【図５】非接触ＩＣリーダ・ライタの内部を詳しく表したブロック図
【図６】非接触ＩＣ内部を詳しく表したブロック図
【図７】本発明の動作を説明するフローチャート
【符号の説明】
【００４０】
１０１  図書または原稿
１０２  マーキング
１０３  データベース
１０４  データ処理装置
２００  複写機
【図１】
2006235008.tif 000003
【図２】
2006235008.tif 000004
【図３】
2006235008.tif 000005
【図４】
2006235008.tif 000006
【図５】
2006235008.tif 000007
【図６】
2006235008.tif 000008
【図７】
2006235008.tif 000009